(57)【特許請求の範囲】
【請求項１】
第１画面を有する第１画像表示手段と、
前記第１画面の前面に設置されたタッチパネルと、
前記第１画面上に１以上のタッチ領域を設定するタッチ領域設定手段と、
タッチ領域がタッチされたか否かを検出するタッチ検出手段と、
第２画面を有する第２画像表示手段と、
前記第１画面および前記第２画面を連続した画面とみなして該仮想連続画面上にポインタを表示するポインタ表示手段と、
前記仮想連続画面上でポインタを移動する操作を行うためのポインタ移動操作手段と、
前記仮想連続画面上でポインティング位置を決定する操作を行うためのポインティング操作手段とを具備し、
前記第１画面上にポインタが表示されている時は、前記タッチ検出手段が無効になることを特徴とするタッチ・ポインティング装置。
【請求項２】
請求項１に記載のタッチ・ポインティング装置において、
前記第１画像表示手段がＬＣＤ表示装置であり、
前記第２画像表示手段がＣＲＴ表示装置であることを特徴とするタッチ・ポインティング装置。
【請求項３】
請求項１または請求項２に記載のタッチ・ポインティング装置において、
前記第１画面および第２画面の一方から他方へポインタが移動した時に警告音を鳴らす警告手段を具備したことを特徴とするタッチ・ポインティング装置。
【請求項４】
請求項１から請求項３のいずれかに記載のタッチ・ポインティング装置において、
前記第１画面上の少なくとも１つのタッチ領域と同機能の少なくとも１つのポインティング領域を第２画面上に設定する同機能ポインティング領域設定手段を具備したことを特徴とするタッチ・ポインティング装置。
【請求項５】
請求項１から請求項４のいずれかに記載のタッチ・ポインティング装置において、
前記ポインタ表示手段は、決定されたポインティング位置がタッチ領域であった時にポインタの表示を一瞬だけ変えることを特徴とするタッチ・ポインティング装置。
【請求項６】
請求項１から請求項５のいずれかに記載のタッチ・ポインティング装置において、
前記ポインタ表示手段は、第１画面がタッチされた時にそのタッチされた位置にポインタを表示することを特徴とするタッチ・ポインティング装置。
【請求項７】
請求項１から請求項６のいずれかに記載のタッチ・ポインティング装置において、
前記第１画面に表示する画像を切り換えることによってタッチ領域の機能も切り換わることを特徴とするタッチ・ポインティング装置。
【請求項８】
請求項１から請求項７のいずれかに記載のタッチ・ポインティング装置において、
前記タッチ領域設定手段は、タッチ領域を表すタッチ領域表示を行うと共にタッチ領域の機能によってタッチ領域表示を変えることを特徴とするタッチ・ポインティング装置。
【請求項９】
請求項１から請求項８のいずれかに記載のタッチ・ポインティング装置において、
前記タッチ領域設定手段は、あるタッチ領域がタッチされた時にポップアップメニュー形式で別のタッチ領域を表示することを特徴とするタッチ・ポインティング装置。
【請求項１０】
請求項１から請求項９のいずれかに記載のタッチ・ポインティング装置において、
前記第１画面の一辺に沿って設置された複数の回転操作手段と、
前記第１画面上に前記複数の回転操作手段の各機能を前記一辺に沿って表示する機能表示手段とを具備したことを特徴とするタッチ・ポインティング装置。
【請求項１１】
請求項１から請求項１０のいずれかに記載のタッチ・ポインティング装置において、
前記ポインタ移動操作手段が、トラックボールであることを特徴とするタッチ・ポインティング装置。
【請求項１２】
請求項１から請求項１１のいずれかに記載のタッチ・ポインティング装置において、
前記タッチパネルにタッチしたままタッチ位置を動かした場合に、その軌跡を前記第１画面上に表示するタッチ軌跡表示手段を具備したことを特徴とするタッチ・ポインティング装置。
【請求項１３】
請求項１から請求項１２のいずれかに記載のタッチ・ポインティング装置を具備したことを特徴とする超音波診断装置。
【請求項１４】
請求項１から請求項１２のいずれかに記載のタッチ・ポインティング装置を具備したことを特徴とする携帯電子装置。
【発明の詳細な説明】
【０００１】
【発明の属する技術分野】
本発明は、タッチ・ポインティング装置、超音波診断装置および携帯電子装置に関し、さらに詳しくは、タッチパネル動作とポインティング動作のそれぞれが持つ短所を回避できるようにしたタッチ・ポインティング装置およびそのタッチ・ポインティング装置を備えた超音波診断装置および携帯電子装置に関する。
【０００２】
【従来の技術】
従来、ＡＴＭ（Automated-Teller Machine）装置などでは、例えばＬＣＤ（Liquid Crystal Display）表示装置とタッチパネルとを使用したタッチパネル動作が採用されている。
また、パソコンなどでは、例えばＣＲＴ（Cathode Ray Tube）表示装置とマウスなどのポインティング装置とを使用したポインティング動作が採用されている。
【０００３】
【発明が解決しようとする課題】
タッチパネル動作の場合、指で操作でき、操作にあまり抵抗感を感じない長所があるが、指の大きさのためにタッチ領域を小さくできず、タッチ領域の設置密度を高くできない短所がある。
【０００４】
逆に、ポインティング動作の場合、ポインティング領域を小さくでき、ポインティング領域の設置密度を高くできる長所があるが、マウスやトラックボールなどを操作しなければならず、人によっては操作に抵抗感をもつ短所がある。
【０００５】
上記のように、タッチパネル動作とポインティング動作には一長一短がある。
しかし、従来は、タッチパネル動作とポインティング動作のいずれか一方だけが採用されていたため、それぞれが持つ短所を回避できない問題点があった。
そこで、本発明の目的は、タッチパネル動作とポインティング動作のそれぞれが持つ短所を回避できるようにしたタッチ・ポインティング装置およびそのタッチ・ポインティング装置を備えた超音波診断装置および携帯電子装置を提供することにある。
【０００６】
【課題を解決するための手段】
第１の観点では、本発明は、第１画面を有する第１画像表示手段と、前記第１画面の前面に設置されたタッチパネルと、前記第１画面上に１以上のタッチ領域を設定するタッチ領域設定手段と、タッチ領域がタッチされたか否かを検出するタッチ検出手段と、前記第１画面上にポインタを表示するポインタ表示手段と、前記第１画面上でポインタを移動する操作を行うためのポインタ移動操作手段と、前記第１画面上でポインティング位置を決定する操作を行うためのポインティング操作手段とを具備したことを特徴とするタッチ・ポインティング装置を提供する。
上記第１の観点によるタッチ・ポインティング装置では、タッチパネル動作とポインティング動作の両方が可能となる。よって、タッチパネル動作とポインティング動作のそれぞれが持つ短所を回避できるようになる。
【０００７】
第２の観点では、本発明は、第１画面を有する第１画像表示手段と、前記第１画面の前面に設置されたタッチパネルと、前記第１画面上に１以上のタッチ領域を設定するタッチ領域設定手段と、タッチ領域がタッチされたか否かを検出するタッチ検出手段と、第２画面を有する第２画像表示手段と、前記第１画面および前記第２画面を連続した画面とみなして該仮想連続画面上にポインタを表示するポインタ表示手段と、前記仮想連続画面上でポインタを移動する操作を行うためのポインタ移動操作手段と、前記仮想連続画面上でポインティング位置を決定する操作を行うためのポインティング操作手段とを具備したことを特徴とするタッチ・ポインティング装置を提供する。
上記第２の観点によるタッチ・ポインティング装置では、第１画面において、タッチパネル動作とポインティング動作の両方が可能となる。よって、第１画面では、タッチパネル動作とポインティング動作のそれぞれが持つ短所を回避できるようになる。また、第１画面および第２画面が連続した画面として取り扱われるため、第１画面でのポインティング動作と第２画面でのポインティング動作に不連続性を感じずに済む。さらに、タッチパネル動作とポインティング動作の両方が可能な第１画面と、ポインティング動作が可能な第２画面とを持つため、ユーザビリティ（useability）を向上できる。
【０００８】
第３の観点では、本発明は、上記構成のタッチ・ポインティング装置において、前記第１画像表示手段がＬＣＤ表示装置であり、前記第２画像表示手段がＣＲＴ表示装置であることを特徴とするタッチ・ポインティング装置を提供する。
上記第３の観点によるタッチ・ポインティング装置では、タッチパネル動作とポインティング動作の両方が可能となる第１画面を比較的コンパクトなＬＣＤ装置に割り当てるため、例えば超音波診断装置の操作卓への組込みが容易になる。また、ポインティング動作のみが可能となる第２画面は、指で触られて画面が汚れることがないため、例えば超音波画像を表示するのに適している。
【０００９】
第４の観点では、本発明は、上記構成のタッチ・ポインティング装置において、前記第１画面および第２画面の一方から他方へポインタが移動した時に警告音を鳴らす警告手段を具備したことを特徴とするタッチ・ポインティング装置を提供する。
上記第４の観点によるタッチ・ポインティング装置では、第１画面および第２画面の一方から他方へポインタが移動した時に警告音を鳴らすため、ポインタを見失ってしまうことをある程度防止できる。
【００１０】
第５の観点では、本発明は、上記構成のタッチ・ポインティング装置において、前記第１画面上の少なくとも１つのタッチ領域と同機能の少なくとも１つのポインティング領域を第２画面上に設定する同機能ポインティング領域設定手段を具備したことを特徴とするタッチ・ポインティング装置を提供する。
上記第５の観点によるタッチ・ポインティング装置では、第１画面の少なくとも１つのタッチ領域と第２画面の少なくとも１つのポインティング領域とが同機能なので、どちらでも好きな方で操作を行うことが出来る。
【００１１】
第６の観点では、本発明は、上記構成のタッチ・ポインティング装置において、前記ポインタ表示手段は、決定されたポインティング位置がタッチ領域であった時にポインタの表示を一瞬だけ変えることを特徴とするタッチ・ポインティング装置を提供する。
上記第６の観点によるタッチ・ポインティング装置では、タッチ領域をポインティングすると、ポインタの表示が一瞬だけ変わるので、タッチ領域にタッチした感覚を得ることが出来る。
【００１２】
第７の観点では、本発明は、上記構成のタッチ・ポインティング装置において、前記ポインタ表示手段は、第１画面がタッチされた時にそのタッチされた位置にポインタを表示することを特徴とするタッチ・ポインティング装置を提供する。
上記第７の観点によるタッチ・ポインティング装置では、第１画面にタッチすると、その位置にポインタが表示されるので、ポインタ移動操作手段を操作する手間を省くことが出来る。
【００１３】
第８の観点では、本発明は、上記構成のタッチ・ポインティング装置において、前記第１画面に表示する画像を切り換えることによってタッチ領域の機能も切り換わることを特徴とするタッチ・ポインティング装置を提供する。
上記第８の観点によるタッチ・ポインティング装置では、タッチパネル動作に多数の機能を割り当てることが出来る。
【００１４】
第９の観点では、本発明は、上記構成のタッチ・ポインティング装置において、前記タッチ領域設定手段は、タッチ領域を表すタッチ領域表示を行うと共にタッチ領域の機能によってタッチ領域表示を変えることを特徴とするタッチ・ポインティング装置を提供する。
上記第９の観点によるタッチ・ポインティング装置では、例えば押しボタンの如き機能（オン／オフの機能）を持つタッチ領域のタッチ領域表示と、ポテンショメータの如き機能（度合いを変更する機能）を持つタッチ領域のタッチ領域表示とが異なるので、タッチ領域表示から機能を類推でき、操作が容易なる。
【００１５】
第１０の観点では、本発明は、上記構成のタッチ・ポインティング装置において、前記第１画面上にポインタが表示されている時は、前記タッチ検出手段が無効になることを特徴とするタッチ・ポインティング装置を提供する。
上記第１０の観点によるタッチ・ポインティング装置では、第１画面にポインタが表示されていないならタッチパネル動作とし、第１画面にポインタが表示されているならポインティング動作とするように、動作を択一的に切り換えるため、操作方法に混乱が生じることを、ある程度、防止できる。
【００１６】
第１１の観点では、本発明は、上記構成のタッチ・ポインティング装置において、前記タッチ領域設定手段は、あるタッチ領域がタッチされた時にポップアップメニュー形式で別のタッチ領域を表示することを特徴とするタッチ・ポインティング装置を提供する。
上記第１１の観点によるタッチ・ポインティング装置では、階層的なメニュー構成を利用できる。また、画面スペースを効率的に利用できる。
【００１７】
第１２の観点では、本発明は、上記構成のタッチ・ポインティング装置において、前記第１画面の一辺に沿って設置された複数の回転操作手段と、前記第１画面上に前記複数の回転操作手段の各機能を前記一辺に沿って表示する機能表示手段とを具備したことを特徴とするタッチ・ポインティング装置を提供する。
上記第１２の観点によるタッチ・ポインティング装置では、一つの回転操作手段に多数の機能の一つを順に割り当てる場合に、現在どのような機能が割り当てられているかを画面上で確認でき、操作が容易になる。
【００１８】
第１３の観点では、本発明は、上記構成のタッチ・ポインティング装置において、前記ポインタ移動操作手段が、トラックボールであることを特徴とするタッチ・ポインティング装置を提供する。
上記第１３の観点によるタッチ・ポインティング装置では、ポインタ移動操作手段としてトラックボールを採用したため、例えば超音波診断装置の操作卓への組込みが容易になる。
【００１９】
第１４の観点では、本発明は、上記構成のタッチ・ポインティング装置において、前記タッチパネルにタッチしたままタッチ位置を動かした場合に、その軌跡を前記第１画面上に表示するタッチ軌跡表示手段を具備したことを特徴とするタッチ・ポインティング装置を提供する。
上記第１４の観点によるタッチ・ポインティング装置では、画面上の画像の輪郭などを指でなぞることにより、その形状を入力できるようになる。
【００２０】
第１５の観点では、本発明は、上記構成のタッチ・ポインティング装置を具備したことを特徴とする超音波診断装置を提供する。
上記第１５の観点による超音波診断装置では、タッチパネル動作とポインティング動作の両方が可能となる。よって、タッチパネル動作とポインティング動作のそれぞれが持つ短所を回避できるようになる。
【００２１】
第１６の観点では、本発明は、上記構成のタッチ・ポインティング装置を具備したことを特徴とする携帯電子装置を提供する。
上記第１６の観点による携帯電子装置では、タッチパネル動作とポインティング動作の両方が可能となる。よって、タッチパネル動作とポインティング動作のそれぞれが持つ短所を回避できるようになる。特に、小さな画面しか持たない携帯電話、腕時計、ＰＤＡ（Personal Digital Assistant）などに好適である。
【００２２】
【発明の実施の形態】
以下、図に示す実施の形態により本発明を詳細に説明する。なお、これにより本発明が限定されるものではない。
【００２３】
−第１の実施形態−
図１は、本発明の第１の実施形態に係る超音波診断装置１０１を示す構成図である。
この超音波診断装置１０１は、超音波パルスを被検体内へ送信すると共に該被検体内から超音波エコーを受信するプローブ１と、被検体の内部をスキャンするように音線方向を変えると共に各音線方向の音線信号を生成する送受信部２と、前記音線信号の強度やドプラ成分に基づいてＢモード画像データやＣＦＭ（Color Flow Mapping）画像データを生成する信号処理部３と、画像やメッセージ等の表示制御を行う表示制御部４と、画像やメッセージなどを表示するＣＲＴディスプレイ５と、画像やメッセージを表示するＬＣＤディスプレイ６と、そのＬＣＤディスプレイ６の前面に設置されたタッチパネル７と、操作者が操作を行う操作部８と、全体の動作を制御する制御部９とを具備している。
【００２４】
ＣＲＴディスプレイ５の画面が第２画面に相当し、ＬＣＤディスプレイ６の画面が第１画面に相当する。
【００２５】
操作部８は、画面に表示したポインタを移動する操作を行うためのトラックボール８ａと、ポインティング操作を行うためのトラックボール・ボタン８ｂと、多数の機能の一つが順に割り当てられるファンクション・ダイヤル８ｃと、ポインティング動作のモードを「独立モード」→「連続併用モード」→「連続切換モード」→「独立モード」→…の順にサイクリックに変更する操作を行うためのポインタモード変更ボタン８ｄとを少なくとも備えている。
【００２６】
なお、後で詳述するが、「独立モード」とは、第１画面ではタッチパネル動作とし、第２画面ではポインティング動作とする動作モードである。また、「連続併用モード」とは、第１画面ではタッチパネル動作およびポインティング動作の併用とし、第２画面ではポインティング動作とする動作モードである。また、「連続切換モード」とは、第１画面にポインタが表示されていない時はタッチパネル動作／第１画面にポインタが表示されている時はポインティング動作と切り換えると共に、第２画面ではポインティング動作とする動作モードである。
【００２７】
図２は、超音波診断装置１０１（プローブ１は省略）の外観図である。
ＣＲＴディスプレイ５が超音波診断装置本体上に設置され、超音波診断装置本体より操作卓が突き出しており、その操作卓にタッチパネル７、トラックボール８ａ、トラックボール・ボタン８ｂ、ファンクション・ダイヤル８ｃ、ポインタモード変更ボタン８ｄ、キーボードＫＢ等が配置されている。
図には現れていないが、タッチパネル７の背後にＬＣＤディスプレイ６が設置されている。
なお、ファンクション・ダイヤル８ｃは、複数あり、タッチパネル７の下辺（ＬＣＤディスプレイ６の下辺）に沿って一列に配置されている。
【００２８】
図３は、超音波診断装置１０１の制御部７で実行されるタッチ・ポインティング処理を示すフロー図である。このタッチ・ポインティング処理は、パワーオン時に起動される。
ステップＨ１では、「独立モード」とする。
ステップＨ２では、ポインタモード変更ボタン８ｄが押されたかチェックし、押されたならステップＨ３へ進み、押されてないならステップＨ４へ進む。
ステップＨ３では、現在のモードが「独立モード」なら「連続併用モード」に変更し、現在のモードが「連続併用モード」なら「連続切換モード」に変更し、現在のモードが「連続切換モード」なら「独立モード」に変更する。
【００２９】
ステップＨ４では、現在のモードが「連続併用モード」なら図４のステップＨ１１へ進み、そうでないならステップＨ５へ進む。
ステップＨ５では、現在のモードが「連続切換モード」なら図５のステップＨ２１へ進み、そうでないならステップＨ６へ進む。
【００３０】
ステップＨ６では、第１画面（ＬＣＤディスプレイ６）はタッチパネル動作とする。タッチパネル動作については、後で詳述する。
ステップＨ７では、第２画面（ＣＲＴディスプレイ５）はポインティング動作とする。ポインティング動作については、後で詳述する。
そして、前記ステップＨ２に戻る。
【００３１】
図４のステップＨ１１では、第１画面（ＬＣＤディスプレイ６）はタッチパネル動作とする。タッチパネル動作については、後で詳述する。
ステップＨ１２では、第１画面（ＬＣＤディスプレイ６）の上辺と第２画面（ＣＲＴディスプレイ５）の下辺が連続しているものとみなし、その仮想連続画面をポインティング動作とする。ポインティング動作については、後で詳述する。
そして、図３の前記ステップＨ２に戻る。
【００３２】
図５のステップＨ２１では、ポインタｋを第１画面（ＬＣＤディスプレイ６）に表示していないならステップＨ２２へ進み、ポインタｋを第１画面（ＬＣＤディスプレイ６）に表示しているならステップＨ２３へ進む。
ステップＨ２２では、第１画面（ＬＣＤディスプレイ６）はタッチパネル動作とする。タッチパネル動作については、後で詳述する。そして、ステップＨ２４へ進む。
【００３３】
ステップＨ２３では、第１画面（ＬＣＤディスプレイ６）のタッチパネル動作を停止する。そして、ステップＨ２４へ進む。
【００３４】
ステップＨ２４では、第１画面（ＬＣＤディスプレイ６）の上辺と第２画面（ＣＲＴディスプレイ５）の下辺が連続しているものとみなし、その仮想連続画面をポインティング動作とする。ポインティング動作については、後で詳述する。
そして、図３の前記ステップＨ２に戻る。
【００３５】
図６は、超音波診断装置１０１の制御部７で実行されるタッチパネル動作の処理を示すフロー図である。このタッチパネル動作の処理は、パワーオン時に起動され、前記タッチ・ポインティング処理と並行して実行される。
ステップＴ１では、図８〜図１１に示すように、第１画面（ＬＣＤディスプレイ６）にタッチ領域を設定する。
ステップＴ２では、タッチパネル７に操作者がタッチした位置を計測し、そのタッチ位置がタッチ領域ならステップＴ３へ進む、タッチパネル７に操作者がタッチしないか、タッチ位置がタッチ領域外ならステップＴ４へ進む。
ステップＴ３では、タッチ位置に対応するタッチ領域に割り当てている機能を実行する。そして、前記ステップＴ２に戻る。
【００３６】
ステップＴ４では、タッチパネル７に操作者がタッチした位置を計測し、そのタッチ位置がタッチ領域外ならステップＴ５へ進む、タッチパネル７に操作者がタッチしてないならステップＴ６へ進む。
ステップＴ５では、軌跡表示モードに入っており且つ過去のタッチ位置が記憶されているなら、それと時系列的に現在のタッチ位置を記憶し、記憶しているタッチ位置を時系列順に結んで軌跡を生成し、その軌跡を第１画面上に表示する。そして、前記ステップＴ２に戻る。
なお、第１画面（ＬＣＤディスプレイ６）に画像を表示し、操作者が軌跡表示モードを指令し、前記画像の輪郭をなぞると、前記軌跡が生成されるので、前記画像の輪郭を入力することが出来る。
【００３７】
ステップＴ６では、記憶しているタッチ位置を消去する。そして、前記ステップＴ２に戻る。すなわち、タッチパネル７から一旦指を離せば、軌跡の生成が中止される。
【００３８】
図７は、超音波診断装置１０１の制御部７で実行されるポインティング動作の処理を示すフロー図である。このポインティング動作の処理は、パワーオン時に起動され、前記タッチ・ポインティング処理やタッチパネル動作と並行して実行される。
ステップＰ１では、図８〜図１２に示すように、第２画面（ＣＲＴディスプレイ５）または仮想連続画面にポインティング領域を設定する。
ステップＰ２では、図８，図１１に示すように、第２画面（ＣＲＴディスプレイ５）にポインタｋを表示する。
【００３９】
ステップＰ３では、現在のモードが「連続併用モード」であり且つタッチ領域がタッチされたならステップＰ４へ進み、そうでないならステップＰ５へ進む。
ステップＰ４では、タッチされたタッチ領域へポインタｋを移動させる。
【００４０】
ステップＰ５では、トラックボール８ａが操作されたならステップＰ６へ進み、操作されてないならステップＰ７へ進む。
ステップＰ６では、トラックボール８ａの操作に応じて、ポインタｋを移動させる。また、軌跡表示モードなら、ポインタｋの移動軌跡を生成し、表示する。
【００４１】
ステップＰ７では、第１画面（ＬＣＤディスプレイ６）と第２画面（ＣＲＴディスプレイ５）の一方から他方へポインタｋが移動したならステップＰ８へ進み、そうでないならステップＰ９へ進む。
ステップＰ８では、警告音を鳴らす。
【００４２】
ステップＰ９では、トラックボール・ボタン８ｂが押された時のポインタｋの位置を検出し、その位置がポインティング領域ならステップＰ１０へ進み、ポインティング領域でないなら前記ステップＰ３に戻る。
ステップＰ１０では、ポインティングされたポインティング領域がタッチ領域でもあるならステップＰ１１へ進み、そうでないならステップＰ１２へ進む。
ステップＰ１１では、ポインタｋを一瞬大きく表示する。
【００４３】
ステップＰ１２では、ポインティングされたポインティング領域に割り当てている機能を実行する。そして、前記ステップＰ３に戻る。
【００４４】
図８は、「独立モード」の動作説明図である。
制御部９は、第１画面（ＬＣＤディスプレイ６）にタッチ領域を設定する。また、第２画面（ＣＲＴディスプレイ５）にポインティング領域を設定する。
【００４５】
ポインタｋは、第２画面（ＣＲＴディスプレイ５）内のみに表示され、第２画面（ＣＲＴディスプレイ５）内のみで移動可能である。
【００４６】
なお、表示する画像およびタッチ領域を変更する機能を持つタッチ領域Ａ，Ｂ，Ｃ，Ｄのタッチ領域表示は四角枠で表示され、対応する機能をオン／オフする機能を持つタッチ領域ａ，ｃのタッチ領域表示は一重丸枠で表示され、ポップアップメニューを下層に持つタッチ領域ｂのタッチ領域表示は二重丸枠で表示される。
【００４７】
また、タッチ領域Ａ，Ｂ，Ｃ，Ｄとポインティング領域Ａ，Ｂ，Ｃ，Ｄとは同機能が割り当てられている。
【００４８】
また、制御部９は、第１画面（ＬＣＤディスプレイ６）の下辺に沿って設置された複数のファンクション・ダイヤル８ｃの各機能を、第１画面（ＬＣＤディスプレイ６）の下辺に沿って表示している（６ｃ）。
【００４９】
図９に示すように、操作者がタッチ領域ｂにタッチすると、制御部９は、ポップアップメニューｐｎを表示する。また、ポップアップメニューｐｎに対応したタッチ領域ｂ１〜ｂ３が設定される。
【００５０】
図１０は、「連続併用モード」の動作説明図である。
制御部９は、第１画面（ＬＣＤディスプレイ６）にタッチ領域を設定する。また、第１画面（ＬＣＤディスプレイ６）の上辺と第２画面（ＣＲＴディスプレイ５）の下辺を連続させた仮想連続画面にポインティング領域を設定する。第１画面（ＬＣＤディスプレイ６）については、タッチ領域とポインティング領域とが重複して設定される。
【００５１】
ポインタｋは、第１画面（ＬＣＤディスプレイ６）および第２画面（ＣＲＴディスプレイ５）を一つの画面として移動可能である。すなわち、トラックボール８ａを操作することで、第１画面（ＬＣＤディスプレイ６）の上辺から第２画面（ＣＲＴディスプレイ５）の下辺へポインタｋを移動できる。また、第２画面（ＣＲＴディスプレイ５）の下辺から第１画面（ＬＣＤディスプレイ６）の上辺へポインタｋを移動できる。
【００５２】
図１１および図１２は、「連続切換モード」の動作説明図である。
図１１に示すように、ポインタｋを第２画面（ＣＲＴディスプレイ５）に表示している時、制御部９は、第１画面（ＬＣＤディスプレイ６）にタッチ領域を設定する。また、第１画面（ＬＣＤディスプレイ６）の上辺と第２画面（ＣＲＴディスプレイ５）の下辺を連続させた仮想連続画面にポインティング領域を設定する。第１画面（ＬＣＤディスプレイ６）については、タッチ領域とポインティング領域とが重複して設定される。
【００５３】
ポインタｋは、第１画面（ＬＣＤディスプレイ６）および第２画面（ＣＲＴディスプレイ５）を一つの画面として移動可能である。すなわち、トラックボール８ａを操作することで、第１画面（ＬＣＤディスプレイ６）の上辺から第２画面（ＣＲＴディスプレイ５）の下辺へポインタｋを移動できる。また、第２画面（ＣＲＴディスプレイ５）の下辺から第１画面（ＬＣＤディスプレイ６）の上辺へポインタｋを移動できる。
【００５４】
図１２に示すように、ポインタｋを第１画面（ＣＲＴディスプレイ５）に表示している時、制御部９は、第１画面（ＬＣＤディスプレイ６）にタッチ領域を設定しない（タッチパネル動作を停止する）。また、第１画面（ＬＣＤディスプレイ６）の上辺と第２画面（ＣＲＴディスプレイ５）の下辺を連続させた仮想連続画面にポインティング領域を設定する。従って、ポインティング動作のみ可能となる。
【００５５】
以上の超音波診断装置１０１によれば、次の効果が得られる。
（１）「連続併用モード」または「連続切換」では、第１画面においてタッチパネル動作とポインティング動作の両方が可能となる。よって、タッチパネル動作とポインティング動作のそれぞれが持つ短所を回避できるようになる。
（２）「連続併用モード」または「連続切換」では、第１画面および第２画面が連続した画面として取り扱われるため、第１画面でのポインティング動作と第２画面でのポインティング動作に不連続性を感じずに済む。
（３）「連続併用モード」または「連続切換」では、第１画面でタッチパネル動作とポインティング動作の両方が可能となり、第２画面ではポインティング動作が可能なため、ユーザビリティを向上できる。
【００５６】
（４）「連続併用モード」または「連続切換」ではタッチパネル動作とポインティング動作の両方が可能となる第１画面を比較的コンパクトなＬＣＤ装置に割り当てるため、超音波診断装置の操作卓への組込みが容易になる。また、ポインティング動作のみが可能となる第２画面は、指で触られて画面が汚れることがないため、超音波画像を表示するのに適している。
（５）「連続併用モード」または「連続切換」で第１画面および第２画面の一方から他方へポインタｋが移動した時に警告音を鳴らすため、ポインタｋを見失ってしまうことを防止できる。
（６）「連続併用モード」または「連続切換」でタッチ領域をポインティングすると、ポインタｋの表示が一瞬だけ大きくなるので、タッチ領域にタッチした感覚を得ることが出来る。
（７）「連続併用モード」または「連続切換」で第１画面にタッチすると、その位置にポインタｋが表示されるので、トラックボール８ａを操作する手間を省くことが出来る。
（８）「連続切換モード」では、第１画面にポインタが表示されていないならタッチパネル動作とし、第１画面にポインタが表示されているならポインティング動作とするように、動作を択一的に切り換えるため、操作方法に混乱が生じることを防止できる。
【００５７】
（９）第１画面のタッチ領域と第２画面のポインティング領域とが一部同機能なので、どちらでも好きな方で操作を行うことが出来る。
【００５８】
（１０）第１画面に表示する画像を切り換えることによってタッチ領域の機能も切り換わるので、タッチパネル動作に多数の機能を割り当てることが出来る。
（１１）タッチ領域の機能によってタッチ領域表示を変えるので、タッチ領域表示から機能を類推でき、操作が容易なる。
（１２）あるタッチ領域がタッチされた時にポップアップメニュー形式で別のタッチ領域を表示するので、階層的なメニュー構成を利用できる。また、画面スペースを効率的に利用できる。
（１３）ファンクション・ダイヤル８ｃに現在どのような機能が割り当てられているかを画面上で確認でき、操作が容易になる。
（１４）トラックボール８ａは、超音波診断装置の操作卓への組込みに適している。
（１５）第１画面上の画像の輪郭などを指でなぞることにより、その形状を入力できる。
【００５９】
−第２の実施形態−
図１３は、本発明の第２の実施形態に係る携帯電話２００を示す構成図である。
この携帯電話２００は、タッチパネル２０１を備えており、そのタッチパネルの背後にＬＣＤディスプレイが設けられている。
ポインタ・リング２０２を操作することで、ポインタｋを移動することが出来る。また、エンターキー２０３を操作することで、ポインティングすることが出来る。
【００６０】
ＬＣＤディスプレイの画面には、タッチ領域Ａ，Ｂ，Ｃが設置されている。また、ポインティング領域Ａ，Ｂ，Ｃおよびイ，ロ，…が設置されている。
タッチ領域Ａ，Ｂ，Ｃおよびポインティング領域Ａ，Ｂ，Ｃは同機能であり、タッチパネル動作とポインティング動作の両方が可能である。
ポインティング領域イ，ロ，…は、間隔が狭いので、ポインティング動作のみ可能である。
【００６１】
上記携帯電話２００と同様に、腕時計やＰＤＡにも本発明を適用できる。
【００６２】
【発明の効果】
本発明のタッチ・ポインティング装置、超音波診断装置および携帯電子装置によれば、タッチパネル動作とポインティング動作の両方が可能となり、タッチパネル動作とポインティング動作のそれぞれが持つ短所を回避できるようになる。
【図面の簡単な説明】
【図１】第１の実施形態にかかる超音波診断装置を示す構成図である。
【図２】第１の実施形態にかかる超音波診断装置を示す外観図である。
【図３】第１の実施形態にかかる超音波診断装置によるタッチ・ポインティング処理を示すフロー図である。
【図４】図３の続きのフロー図である。
【図５】図３の続きのフロー図である。
【図６】タッチパネル動作の処理を示すフロー図である。
【図７】ポインティング動作の処理を示すフロー図である。
【図８】「独立モード」の説明図である。
【図９】ポップアップメニューの説明図である。
【図１０】「連続併用モード」の説明図である。
【図１１】「連続切換モード」の説明図である。
【図１２】「連続切換モード」の説明図である。
【図１３】第２の実施形態にかかる携帯電話を示す構成図である。
【符号の説明】
１                          プローブ
２                          送受信部
３                          信号処理部
４                          表示制御部
５                          ＣＲＴディスプレイ
６                          ＬＣＤディスプレイ
７                          タッチパネル
８                          操作部
８ａ                        トラックボール
８ｃ                        ファンクション・ダイヤル
１０１                      超音波診断装置
２００                      携帯電話
ｋ                          ポインタ
【図１】
0004841055.tif 000002
【図２】
0004841055.tif 000003
【図３】
0004841055.tif 000004
【図４】
0004841055.tif 000005
【図５】
0004841055.tif 000006
【図６】
0004841055.tif 000007
【図７】
0004841055.tif 000008
【図８】
0004841055.tif 000009
【図９】
0004841055.tif 000010
【図１０】
0004841055.tif 000011
【図１１】
0004841055.tif 000012
【図１２】
0004841055.tif 000013
【図１３】
0004841055.tif 000014